【手続補正書】
【提出日】平成18年7月19日(2006.7.19)
【手続補正１】
【補正対象書類名】明細書
【補正対象項目名】特許請求の範囲
【補正方法】変更
【補正の内容】
【特許請求の範囲】
【請求項１】 コンクリート床版を支持する一対の主桁と、該主桁同士を連結する複数の横桁を有する２主桁橋において、コンクリート床版を打設するためのコンクリート床版用型枠を該主桁の間に設置するコンクリート床版用型枠の設置方法であって、
前記横桁に略橋軸方向に延びる下支持梁を設置する工程と、該下支持梁に支持柱を設置する工程と、該支持柱に略橋軸方向に延びる上支持梁を設置する工程と、コンクリート床版用型枠が載置される横支持梁を前記上支持梁と前記主桁の間に設置する工程と、該横支持梁にコンクリート床版用型枠を載置する工程と、を有すことを特徴とするコンクリート床版用型枠の設置方法。
【請求項２】 コンクリート床版を支持する一対の主桁と、該主桁同士を連結する複数の横桁を有する２主桁橋において、コンクリート床版を打設するためのコンクリート床版用型枠を該主桁の間に設置するコンクリート床版用型枠の設置方法であって、
前記横桁に略橋軸方向に延びる複数列の下支持梁を設置する工程と、該複数列の下支持梁のそれぞれに支持柱を設置する工程と、該支持柱に略橋軸方向に延びる複数列の上支持梁を設置する工程と、コンクリート床版用型枠が載置される横支持梁を前記上支持梁と前記主桁の間および隣接する上支持梁の間に設置する工程と、前記横支持梁にコンクリート床版用型枠を載置する工程を有すことを特徴とするコンクリート床版用型枠の設置方法。
【請求項３】下支持梁に、作業通路または作業足場を設置する工程を有すことを特徴とする請求項１または２に記載のコンクリート床版用型枠の設置方法。
【請求項４】下支持梁に、作業通路または作業足場を設置するための横支持金物を取り付ける工程と、該横支持金物および主桁の下フランジに支持された支持脚を具備する中段足場用単管パイプを配置する工程と、中段足場用単管パイプを支持柱に固定する工程と、を有すことを特徴とする請求項１〜３の何れか一項に記載のコンクリート床版用型枠の設置方法。
【請求項５】 コンクリート床版を支持する一対の主桁と、該主桁同士を連結する複数の横桁を有する２主桁橋において、コンクリート床版を打設するためのコンクリート床版用型枠を該主桁の間に設置するコンクリート床版用型枠の設置構造であって、
前記横桁に設置されて略橋軸方向に延びる下支持梁と、該下支持梁に設置された支持柱と、該支持柱に設置されて略橋軸方向に延びる上支持梁と、該上支持梁と前記主桁の間に設置されてコンクリート床版用型枠が載置される横支持梁と、該横支持梁に載置されたコンクリート床版用型枠とを有すことを特徴とするコンクリート床版用型枠の設置構造。
【請求項６】 コンクリート床版を支持する一対の主桁と、該主桁同士を連結する複数の横桁を有する２主桁橋において、コンクリート床版を打設するためのコンクリート床版用型枠を該主桁の間に設置するコンクリート床版用型枠の設置構造であって、
前記横桁に設置されて略橋軸方向に延びる複数列の下支持梁と、該下支持梁に設置された支持柱と、該支持柱に設置されて略橋軸方向に延びる複数列の上支持梁と、該上支持梁と前記主桁の間および前記上支持梁間に設置されてコンクリート床版用型枠が載置される横支持梁と、該横支持梁に載置されたコンクリート床版用型枠とを有すことを特徴とするコンクリート床版用型枠の設置構造。
【請求項７】下支持梁に、作業通路または作業足場が設置されていることを特徴とする請求項５または６に記載のコンクリート床版用型枠の設置構造。
【請求項８】下支持梁に設けられた作業通路または作業足場を設置するための横支持金物と、該横支持金物および主桁の下フランジに支持された支持脚を具備する中段足場用単管パイプとを備えたことを特徴とする請求項５〜７の何れか一項に記載のコンクリート床版用型枠の設置構造。
【手続補正２】
【補正対象書類名】明細書
【補正対象項目名】００１８
【補正方法】変更
【補正の内容】
【００１８】
【課題を解決するための手段】
（１）本発明に係るコンクリート床版用型枠の設置方法は、コンクリート床版を支持する一対の主桁と、該主桁同士を連結する複数の横桁を有する２主桁橋において、コンクリート床版を打設するためのコンクリート床版用型枠を該主桁の間に設置するコンクリート床版用型枠の設置方法であって、
前記横桁に略橋軸方向に延びる下支持梁を設置する工程と、該下支持梁に支持柱を設置する工程と、該支持柱に略橋軸方向に延びる上支持梁を設置する工程と、コンクリート床版用型枠が載置される横支持梁を前記上支持梁と前記主桁の間に設置する工程と、該横支持梁にコンクリート床版用型枠を載置する工程と、を有すことを特徴とするものである。
（２）また、コンクリート床版を支持する一対の主桁と、該主桁同士を連結する複数の横桁を有する２主桁橋において、コンクリート床版を打設するためのコンクリート床版用型枠を該主桁の間に設置するコンクリート床版用型枠の設置方法であって、
前記横桁に略橋軸方向に延びる複数列の下支持梁を設置する工程と、該複数列の下支持梁のそれぞれに支持柱を設置する工程と、該支持柱に略橋軸方向に延びる複数列の上支持梁を設置する工程と、コンクリート床版用型枠が載置される横支持梁を前記上支持梁と前記主桁の間および隣接する上支持梁の間に設置する工程と、前記横支持梁にコンクリート床版用型枠を載置する工程を有すことを特徴とするものである。
【手続補正３】
【補正対象書類名】明細書
【補正対象項目名】００１９
【補正方法】変更
【補正の内容】
【００１９】
（３）また、上記（１）または（２）に記載のものにおいて、下支持梁に、作業通路または作業足場を設置する工程を有すことを特徴とするものである。
（４）また、上記（１）〜（３）のいずれかに記載のものにおいて、下支持梁に、作業通路または作業足場を設置するための横支持金物を取り付ける工程と、該横支持金物および主桁の下フランジに支持された支持脚を具備する中段足場用単管パイプを配置する工程と、中段足場用単管パイプを支持柱に固定する工程と、を有すことを特徴とするものである。
【手続補正４】
【補正対象書類名】明細書
【補正対象項目名】００２０
【補正方法】変更
【補正の内容】
【００２０】
（５）本発明に係るコンクリート床版用型枠の設置構造は、コンクリート床版を支持する一対の主桁と、該主桁同士を連結する複数の横桁を有する２主桁橋において、コンクリート床版を打設するためのコンクリート床版用型枠を該主桁の間に設置するものであって、
前記横桁に設置されて略橋軸方向に延びる下支持梁と、該下支持梁に設置された支持柱と、該支持柱に設置されて略橋軸方向に延びる上支持梁と、該上支持梁と前記主桁の間に設置されてコンクリート床版用型枠が載置される横支持梁と、該横支持梁に載置されたコンクリート床版用型枠とを有すことを特徴とするものである。
（６）また、コンクリート床版を支持する一対の主桁と、該主桁同士を連結する複数の横桁を有する２主桁橋において、コンクリート床版を打設するためのコンクリート床版用型枠を該主桁の間に設置するコンクリート床版用型枠の設置構造であって、
前記横桁に設置されて略橋軸方向に延びる複数列の下支持梁と、該下支持梁に設置された支持柱と、該支持柱に設置されて略橋軸方向に延びる複数列の上支持梁と、該上支持梁と前記主桁の間および前記上支持梁間に設置されてコンクリート床版用型枠が載置される横支持梁と、該横支持梁に載置されたコンクリート床版用型枠とを有すことを特徴とするものである。
【手続補正５】
【補正対象書類名】明細書
【補正対象項目名】００２１
【補正方法】変更
【補正の内容】
【００２１】
（７）また、上記（５）または（６）に記載のものにおいて、下支持梁に、作業通路または作業足場が設置されていることを特徴とするものである。
（８）また、上記（５）〜（７）のいずれかに記載のものにおいて、下支持梁に設けられた作業通路または作業足場を設置するための横支持金物と、該横支持金物および主桁の下フランジに支持された支持脚を具備する中段足場用単管パイプとを備えたことを特徴とするものである。